(57)【特許請求の範囲】
【請求項１】
座部又は脚部から立ち上がった支持部に対して肘掛け部が上下角度調節可能な椅子の肘掛け装置であって、前記支持部の上端に肘掛け部内に固定した傾動部材を水平な支軸にて上下傾動可能に連結するとともに、前記支持部に上下に複数の係合凹部を形成し、該係合凹部の何れかに係合して肘掛け部を所定角度に維持するストッパー手段とその操作手段を前記傾動部材に設けてなることを特徴とする椅子の肘掛け装置。
【請求項２】
前記傾動部材の前部に水平な回動軸にて支持された回動部材の中間部を取付けるとともに、該回動部材の遊端側一端に前記係合凹部に係合する係合部を設けてストッパー手段となし、回動部材の遊端側他端に肘掛け部の前部に露出させた操作部を設けて操作手段となし、前記係合部が係合凹部に係合する回転方向に回動部材を弾性付勢してなる請求項１記載の椅子の肘掛け装置。
【請求項３】
前記操作部を肘掛け部の下面又は側面に露出させてなる請求項２記載の椅子の肘掛け装置。
【請求項４】
前記傾動部材の前部に水平な回動軸にて支持された回動部材の中間部を取付けるとともに、該回動部材の遊端側一端に前記係合凹部に係合する係合部を設けてストッパー手段となし、回動部材の遊端側他端に操作部を設けるとともに、肘掛け部の前部側面に露出させた押しボタンの先端に形成した傾斜面を前記操作部に当止して操作手段となし、前記係合部が係合凹部に係合する回転方向に回動部材を弾性付勢してなる請求項１記載の椅子の肘掛け装置。
【発明の詳細な説明】
【０００１】
【発明の属する技術分野】
本発明は、椅子の肘掛け装置に係わり、更に詳しくは肘掛け部が上下角度調節可能な椅子の肘掛け装置に関する。
【０００２】
【従来の技術】
従来、椅子の座部又は脚部から立ち上がった支持部に対して肘掛け部が上下角度調節可能なものは既に提供されている。そして、肘掛け部の角度調節機構としては、支持部の上端に肘掛け部の中央部を傾動可能に枢着するとともに、支持部の前後一端部に複数の係合凹部を上下方向に所定間隔で形成し、該係合凹部に肘掛け部の前後一端部に設けた前後移動可能な係合部を弾性的に嵌合して多段階に角度調節するものがある。
【０００３】
しかし、従来の肘掛け部の角度調節機構は、操作部を肘掛け部の前部下面に露出させているため、肘掛け部の下部カバー部材に係合部を設けた操作レバーを枢着し、該操作レバーの回動操作によって係合凹部に対して係合部を係脱する構造である。そのため、肘掛け部を上部カバー部材と下部カバー部材を接合するとともに、内部に設けた操作レバーの係合部と支持部に設けた係合凹部とからなる角度調節機構の組立作業が難しく、また位置精度も要求されるのである。更に、操作レバーを弾性付勢するための引張りコイルばね又はキックばねといった弾性体を装着する作業も難しいといった問題もある。
【０００４】
【発明が解決しようとする課題】
本発明が前述の状況に鑑み、解決しようとするところは、肘掛け部の上下角度調節機構の構造を簡略化するとともに、簡単に組立てることが可能で、もってコスト低減化が図ることが可能であり、併せて操作性にも優れた椅子の肘掛け装置を提供する点にある。
【０００５】
【課題を解決するための手段】
本発明は、前述の課題解決のために、座部又は脚部から立ち上がった支持部に対して肘掛け部が上下角度調節可能な椅子の肘掛け装置であって、前記支持部の上端に肘掛け部内に固定した傾動部材を水平な支軸にて上下傾動可能に連結するとともに、前記支持部に上下に複数の係合凹部を形成し、該係合凹部の何れかに係合して肘掛け部を所定角度に維持するストッパー手段とその操作手段を前記傾動部材に設けてなる椅子の肘掛け装置を構成した。
【０００６】
具体的には、前記傾動部材の前部に水平な回動軸にて支持された回動部材の中間部を取付けるとともに、該回動部材の遊端側一端に前記係合凹部に係合する係合部を設けてストッパー手段となし、回動部材の遊端側他端に肘掛け部の前部に露出させた操作部を設けて操作手段となし、前記係合部が係合凹部に係合する回転方向に回動部材を弾性付勢してなるのである。ここで、前記操作部を肘掛け部の下面又は側面に露出させてなるのであり、特に肘掛け部の横幅及び厚さが大きい場合には、操作性を向上させるために該操作部を肘掛け部の側面に設けることが好ましい。
【０００７】
また、前記傾動部材の前部に水平な回動軸にて支持された回動部材の中間部を取付けるとともに、該回動部材の遊端側一端に前記係合凹部に係合する係合部を設けてストッパー手段となし、回動部材の遊端側他端に操作部を設けるとともに、肘掛け部の前部側面に露出させた押しボタンの先端に形成した傾斜面を前記操作部に当止して操作手段となし、前記係合部が係合凹部に係合する回転方向に回動部材を弾性付勢してなるものである。
【０００８】
【発明の実施の形態】
次に本発明の実施形態を添付図面に基づき更に詳細に説明する。図１〜図４は本発明に肘掛け装置の第１実施形態を示し、図５〜図７は本発明の第２実施形態を示し、図８〜図１０は本発明の第３実施形態を示し、図２、図６及び図９は肘掛け部を略水平に設定した状態、図３及び図７は肘掛け部を前上がりに傾斜させて設定した状態、図４は要部の分解斜視図を示し、図中符号１は椅子の脚部、２は座部、３は背凭れ部、４は肘掛け装置、５は支持部、６は肘掛け部をそれぞれ示している。
【０００９】
本発明の実施形態に係る肘掛け装置４は、座部２又は脚部１から立ち上がった支持部５に対して肘掛け部６を高さ調節可能且つ上下角度調節可能に設けたものである。前記支持部５は、座部２に固定した支持アーム７の上部に、中空状の昇降体８を上下スライド可能に外嵌した構造を有する。そして、前記支持アーム７と昇降体８との間には、支持アーム７に対して昇降体８の高さを調節し且つその高さを維持するための高さ調節機構が設けられている。
【００１０】
先ず、本発明の第１実施形態の肘掛け装置４を図１〜図４に基づいて更に詳しく説明する。本発明の肘掛け装置４は、前記支持部５の上端に肘掛け部６内に固定した傾動部材９を水平な支軸１０にて上下傾動可能に連結するとともに、前記支持部５に上下に複数の係合凹部１１，…を形成し、該係合凹部１１の何れかに係合して肘掛け部６を所定角度に維持するストッパー手段１２とその操作手段１３を前記傾動部材９に設けてなるものである。
【００１１】
更に詳しくは、前記肘掛け部６は、合成樹脂製の上部カバー部材１４と下部カバー部材１５とを接合して中空状に形成し、該上部カバー部材１４には下面に多数の補強リブ１６，…と前記傾動部材９を取付ける台座１７，１７を一体成形し、前記下部カバー部材１５には前記支持部５を構成する昇降体８を受け入れる開口１８を形成している。そして、金属板からなる前記補強板１９を前記補強リブ１６，…の下縁に接触状態で前記台座１７，１７にネジ止め固定し、肘掛け部６としての強度と剛性を確保し、該補強板１９の下面には前記傾動部材９を一体的に固着している。
【００１２】
前記傾動部材９は、金属板を折曲形成したものであり、上面板２０の両側に側面板２１，２１を下向きに折曲し、両側面板２１，２１の間に前記昇降体８の上部を収容できるようになっている。そして、前記傾動部材９の側面板２１の後部には前記支軸１０を挿通する軸孔２２を形成を形成し、また上面板２０の前部は下方へ折曲して当止板２３を形成し、該当止板２３の下部には横長のスリット孔２４を形成している。また、前記当止板２３よりも前方で両側面板２１，２１の上部に通孔２５，２５を形成している。
【００１３】
そして、金属板をく字形に折曲形成した回動部材２６の中間部を前記傾動部材９の前部に回動可能に取付ける。例えば、前記回動部材２６の屈曲部に固着した軸筒２７を前記傾動部材９の両側面板２１，２１の上部間に配設するとともに、両通孔２５，２５に挿通した水平な回動軸２８に回動可能に挿通して取付ける。そして、前記回動部材２６の遊端側一端に、前記スリット孔２４を貫通して前記係合凹部１１に係合する係合部２９を直角に折曲形成して前記ストッパー手段１２となし、また回動部材２６の遊端側他端に肘掛け部６の下部カバー部材１５のに開口した操作孔３０から下面に露出させた操作部３１を設けて前記操作手段１３となしている。更に、前記係合部２９が係合凹部１１に係合する回転方向に回動部材２６を弾性付勢すべく、前記回動部材２６と傾動部材９の側面板２１との間に引張りコイルばね３２を介装している。尚、引張りコイルばね３２の代わりにキックばねを用い、該キックばねのコイル部を前記回動軸２８に巻回し、両弾性脚を回動部材２６と傾動部材９の側面板２１に係止しても良い。
【００１４】
そして、前記傾動部材９にストッパー手段１２及び操作手段１３を構成する回動部材２６を装着した状態で、該傾動部材９を直接又は本実施形態のように補強板１９を介して肘掛け部６の上部カバー部材１４に取付け、それから下部カバー部材１５の開口１８に前記昇降体８の上部を挿通した状態で、前記傾動部材９の両側面板２１，２１間に昇降体８の上部を受け入れ、該側面板２１，２１に形成した軸孔２２，２２と該昇降体８の上端後部に形成した貫通孔３３に前記支軸１０を挿通して取付け、最後に下部カバー部材１５を持ち上げて上部カバー部材１４に嵌合又はネジ止め等の適宜な固定手段にて接合して組立てるのである。
【００１５】
しかして、前記肘掛け部６の下部カバー部材１５の角孔３０から下面に露出した操作部３１を押し込むと、回動部材２６が回動軸２８を中心に回転し、前記係合部２９が昇降体８の上部前面側に形成した前記係合凹部１１から外れ、肘掛け部６の前部が支軸１０を中心に上下に角度調節可能な状態となり、肘掛け部６を所定角度に設定した後、操作部３１から指を離せば、引張りコイルばね３２の弾性付勢力によって前記係合部２９が何れかの係合凹部１１に係合し、設定角度を維持するのである。
【００１６】
ここで、図２は肘掛け部６を略水平状態となした状態で、通常は肘掛け部６の前部が最も下降した状態であり、図３は肘掛け部６の前部を上昇させて傾斜した状態である。肘掛け部６の角度は、着座者の体格に応じて座部２の高さと肘掛け部６の高さを調節した後、該肘掛け部６の上面が机の前縁に向くように調節することが望ましい。肘掛け部６の角度を前述のように設定した場合、該肘掛け部６の上面に肘を載せ、手首を机天板に載せた状態で、ワープロやパソコンの入力手段の一つであるマウスを操作することができるので、その操作が楽になるのである。また、キーボードを操作する場合も同様である。
【００１７】
次に、本発明の肘掛け装置４の第２実施形態を図５〜図７に基づいて更に詳しく説明する。本実施形態の肘掛け装置４は、第１実施形態と基本的には共通する構造であり、同一構成には同一符号を付してその説明は省略する。ここでは、第１実施形態と異なる構成についてのみ説明する。本実施形態の肘掛け装置４は、前記傾動部材９として、上面板２０の両側に側面板２１，２１を折曲形成した単純な形状とし、該両側面板２１，２１の後部を前述の如く支軸１０にて昇降体８の上端後部に上下回動可能に枢着するとともに、両側面板２１，２１の前部に回動軸２８にて側面視く字形の回動部材２６の中間部の屈曲部を回動可能に支持している。また、前記昇降体８の上端前部には、横長の複数の係合凹部１１，…を上下に設け且つ両側に貫通させて設けるとともに、各係合凹部１１の後端を遊動部３４で連通している。
【００１８】
そして、ストッパー手段１２として、前記回動部材２６の遊端側一端の先端部に長形のリング部３５を形成し、該リング部３５には前記係合部２９を構成する係止ピン２９Ａを挿通するとともに、該係止ピン２９Ａを前記係合凹部１１内に挿通して構成している。また、操作手段１３として、前記回動部材２６の遊端側他側の先端部に直角に側方へ延設した操作部３１を形成し、該操作部３１を肘掛け部６の側面に開口した操作孔３０から露出させている。尚、前記操作部３１の先端露出部には適宜つまみを設けることが好ましい。また、前記回動部材２６と傾動部材９の側面板２１の前端間に引張りコイルばね３２を介装し、係合部２９が係合凹部１１に係合する回転方向に回動部材２６を弾性付勢している。
【００１９】
本実施形態の場合には、肘掛け部６の前部側面に露出した操作部３１を持ち上げると、回動部材２６が回動軸２８を中心として回転し、前記係合部２９を構成する係止ピン２９Ａがリング部３５の内部を移動しながら係合凹部１１から外れて遊動部３４に位置するようになり、その状態で前記支軸１０を中心として肘掛け部６の前部を上下回転させて所定の角度に設定した後、操作部３１から指を離せば、引張りコイルばね３２の弾性付勢力によって再度係合部２９が何れかの係合凹部１１に係合して設定角度が維持されるのである。
【００２０】
最後に、図８〜図１０に基づいて本発明の第３実施形態の肘掛け装置４を説明する。本実施形態の肘掛け装置４は、第１実施形態と基本的構造は同一であるが、操作手段１３のみが異なる構造を有するものである。本実施形態の操作手段１３は、前記回動部材２６の遊端側他端に操作部３１を設けるとともに、肘掛け部６の前部側面に設けた操作孔３０から露出させた押しボタン３６の先端に形成した楔形の傾斜面３７を前記操作部３１に当止し、押しボタン３６を押し込みことによって操作部３１を持ち上げ、もって回動部材２６を回転させて係合部２９が係合凹部１１から外れるようにしたものである。その他の構成は前記同様であるので、同一構成には同一符号を付してその説明は省略する。
【００２１】
【発明の効果】
以上にしてなる本発明の椅子の肘掛け装置は、肘掛け部の上下角度調節機構の主要部を肘掛け部の内部に固定する傾動部材に組み込んでいるので組立てが簡単であり、大幅な製造コスト低減化が図れるとともに、肘掛け部の上下角度調節を簡単に行うことができ、例えば、机天板に載置したワープロやパソコンのマウスやキーボードを操作する場合、肘掛け部の手口の高さを机天板と略同じ高さに設定して肘掛け部の前端上面を机天板の手前縁に連続させて手首部分の安楽な支持状態を実現した場合でも、肘掛け部に角度をつけることによって、肩から肘までの最適距離を確保できるのである。
【図面の簡単な説明】
【図１】本発明の第１実施形態に係る肘掛け装置を適用した椅子の側面図である。
【図２】同じく肘掛け部が略水平状態の場合の要部の拡大縦断面図である。
【図３】同じく肘掛け部が傾斜状態の場合の要部の拡大縦断面図である。
【図４】同じく分解斜視図である。
【図５】本発明の第２実施形態に係る肘掛け装置を適用した椅子の側面図である。
【図６】同じく肘掛け部が略水平状態の場合の要部の部分拡大縦断面図である。
【図７】同じく肘掛け部が傾斜状態の場合の要部の部分拡大縦断面図である。
【図８】本発明の第３実施形態に係る肘掛け装置を適用した椅子の側面図である。
【図９】同じく要部の部分拡大断面図である。
【図１０】同じく要部の部分拡大断面図である。
【符号の説明】
１  脚部                  ２  座部
３  背凭れ部              ４  肘掛け装置
５  支持部                ６  肘掛け部
７  支持アーム            ８  昇降体
９  傾動部材              １０  支軸
１１  係合凹部            １２  ストッパー手段
１３  操作手段            １４  上部カバー部材
１５  下部カバー部材      １６  補強リブ
１７  台座                １８  開口
１９  補強板              ２０  上面板
２１  側面板              ２２  軸孔
２３  当止板              ２４  スリット孔
２５  通孔                ２６  回動部材
２７  軸筒                ２８  回動軸
２９  係合部              ３０  操作孔
３１  操作部              ３２  引張りコイルばね
３３  貫通孔              ３４  遊動部
３５  リング部            ３６  押しボタン
３７  傾斜面
【図１】
0003637753.tif 000002
【図２】
0003637753.tif 000003
【図３】
0003637753.tif 000004
【図４】
0003637753.tif 000005
【図５】
0003637753.tif 000006
【図６】
0003637753.tif 000007
【図７】
0003637753.tif 000008
【図８】
0003637753.tif 000009
【図９】
0003637753.tif 000010
【図１０】
0003637753.tif 000011